(57)【特許請求の範囲】
【請求項１】
複数のバーナ部を並べて備えたガスバーナと、
前記複数のバーナ部に燃焼用空気を供給する燃焼用空気供給手段と、
前記複数のバーナ部への燃料ガスの供給を調整する燃料供給調整手段と、
前記燃焼用空気供給手段及び前記燃料供給調整手段の作動を制御する燃焼制御手段とが備えられ、
その燃焼制御手段が、燃焼負荷の大きさに応じて、前記複数のバーナ部のうちで燃焼させるバーナ部の数を３段以上の複数段に変更させる形態で燃焼させるように、燃焼させるバーナ部にのみ燃料ガスを供給させるように前記燃料供給調整手段を作動させ、且つ、燃焼させるバーナ部に適正量の燃焼用空気が供給されるように前記燃焼用空気供給手段を作動させるように構成されている燃焼装置であって、
前記燃焼させるバーナ部の数を変更させる複数段のうちで、一部のバーナ部を燃焼させる段のうちの燃焼させるバーナ数が少なくなる側の低燃焼負荷用の段にて燃焼させる状態において、燃焼を停止させることになるバーナ部に対する燃焼用空気の供給を抑制するための供給抑制手段が、抑制作用状態と抑制解除状態とに切り換え自在に設けられ、
前記燃焼制御手段が、
前記複数のバーナ部のうちの燃焼させるバーナ部の数を前記低燃焼負荷用の段に変更させるに伴って、前記抑制作用状態に切り換え、且つ、前記燃焼させるバーナ部の数を前記低燃焼負荷用の段よりも燃焼させるバーナ数が多い高燃焼負荷用の段に変更させるに伴って、前記抑制解除状態に切り換えるように、前記供給抑制手段を作動させるように構成され、
前記供給抑制手段の前記抑制作用状態及び前記抑制解除状態の夫々において、燃焼させるバーナ部に適正量の燃焼用空気が供給されるように前記燃焼用空気供給手段を作動させるように構成され、
燃焼負荷の大きさに応じて、前記燃焼させるバーナ部の数を前記高燃焼負荷用の段に変更する変更指令が指令されると、前記燃料供給調整手段による燃料ガスを供給するバーナ部の数の変更作動を直ちに実行させ、且つ、前記供給抑制手段による前記抑制作用状態から前記抑制解除状態への切り換えを直ちに実行させるように構成され、
燃焼負荷の大きさに応じて、前記燃焼させるバーナ部の数を前記低燃焼負荷用の段に変更する変更指令が指令されると、前記燃料供給調整手段による燃料ガスを供給するバーナ部の数の変更作動を直ちに実行させ、且つ、前記供給抑制手段による前記抑制解除状態から前記抑制作用状態への切り換えを設定時間遅らせて実行させるように構成されている燃焼装置。
【請求項２】
前記複数のバーナ部の夫々は、火炎を形成する炎口に供給すべき一次空気を前記燃焼用空気として取り入れる一次空気取入れ口と、前記炎口に供給すべき二次空気を前記燃焼用空気として取り入れる二次空気取入れ口とを備えて構成され、
前記供給抑制手段が、
前記低燃焼負荷用の段にて燃焼させる状態において燃焼を停止させるバーナ部に対応する前記一次空気取入れ口並びに前記二次空気取入れ口を夫々遮蔽して、燃焼用空気の取入れを抑制する作用位置と、前記一次空気取入れ口並びに前記二次空気取入れ口を夫々開放して、燃焼用空気の取入れを許容する解除位置とにわたり切換え自在な遮蔽部材と、
この遮蔽部材を前記作用位置と前記解除位置とにわたり移動操作させる移動操作手段とを備えて構成され、
その移動操作手段により、前記遮蔽部材を前記作用位置に移動操作させることで前記抑制作用状態に切り換わり、前記遮蔽部材を前記解除状態に移動操作させることで前記抑制解除状態に切り換わるように構成されている請求項１記載の燃焼装置。
【請求項３】
前記ガスバーナが、
前記複数のバーナ部として、空気混合率の小なる濃混合気を燃焼させる濃燃焼用バーナ部と、空気混合率の大なる淡混合気を燃焼させる淡燃焼用バーナ部とを、それらが交互に並ぶ状態で備えた濃淡燃焼式のガスバーナにて構成され、
前記濃燃焼用バーナ部は、前記濃混合気を燃焼させて火炎を形成する濃用炎口に供給すべき前記燃焼用空気を取入れる濃用空気取入れ口を備えて構成され、
前記淡燃焼用バーナ部は、前記淡混合気を燃焼させて火炎を形成する淡用炎口に供給すべき前記燃焼用空気を取り入れる淡用空気取入れ口を備えて構成され、
前記供給抑制手段が、
前記低燃焼負荷用の段にて燃焼させる状態において燃焼を停止させる前記濃燃焼用バーナ部の前記濃用空気取入れ口、及び、前記低燃焼負荷用の段にて燃焼させる状態において燃焼を停止させる前記淡燃焼用バーナ部の前記淡用空気取入れ口を、夫々遮蔽して燃焼用空気の取入れを抑制する作用位置と、前記濃用空気取入れ口、及び、前記淡用空気取入れ口を夫々開放して、燃焼用空気の取入れを許容する解除位置とにわたり切換え自在な遮蔽部材と、
この遮蔽部材を前記作用位置と前記解除位置とにわたり移動操作させる移動操作手段とを備えて構成され、
その移動操作手段により、前記遮蔽部材を前記作用位置に移動操作させることで前記抑制作用状態に切り換わり、前記遮蔽部材を前記解除状態に移動操作させることで前記抑制解除状態に切り換わるように構成されている請求項１記載の燃焼装置。
【請求項４】
前記供給抑制手段が、
前記燃焼させるバーナ部の数が前記低燃焼負荷用の段に変更されて前記抑制作用状態に切り換えられているときに、燃焼を停止させるバーナ部のうち前記燃焼させるバーナ部に隣接する前記淡燃焼用バーナ部に対して、燃焼用空気の供給を許容するように構成されている請求項３記載の燃焼装置。
【請求項５】
前記燃焼制御手段が、
前記燃焼させるバーナ部の数を前記低燃焼負荷用の段に変更させるときに、前記複数のバーナ部のうちの並び方向の中央部に位置するバーナ部を燃焼させるように構成されている請求項１〜４のいずれか１項に記載の燃焼装置。
【発明の詳細な説明】
【０００１】
【発明の属する技術分野】
本発明は、複数のバーナ部を並べて備えたガスバーナと、前記複数のバーナ部に燃焼用空気を供給する燃焼用空気供給手段と、前記複数のバーナ部への燃料ガスの供給を調整する燃料供給調整手段と、前記燃焼用空気供給手段及び前記燃料供給調整手段の作動を制御する燃焼制御手段とが備えられ、その燃焼制御手段が、燃焼負荷の大きさに応じて、前記複数のバーナ部のうちで燃焼させるバーナ部の数を３段以上の複数段に変更させる形態で燃焼させるように、燃焼させるバーナ部にのみ燃料ガスを供給させるように前記燃料供給調整手段を作動させ、且つ、燃焼させるバーナ部に適正量の燃焼用空気が供給されるように前記燃焼用空気供給手段を作動させるように構成されている燃焼装置に関する。
【０００２】
【従来の技術】
上記構成の燃焼装置は、複数のバーナ部のうちで燃焼させるバーナ部の数を燃焼負荷の大きさに応じて変更させることで、大きなターンダウン比が得られるようにしたものであるが、この種の燃焼装置において、従来では、例えば特開平８−２８５２３７号公報に示されるように、一部のバーナ部のみを燃焼させる場合であっても、燃焼用空気は、燃焼させるバーナ部に対して適正量の燃焼用空気が供給される状態としながら全てのバーナ部に供給される構成となっており、燃焼を停止させるバーナ部に対しても燃焼用空気が供給される構成となっていた。
【０００３】
すなわち、燃焼用空気供給手段としての１つのファンにより複数のバーナ部に対して燃焼用空気を供給する、つまり、１つのファンから供給される空気を複数のバーナ部に分流させた状態で供給するように構成され、燃焼負荷の大きさに応じて、複数のバーナ部のうちで燃焼させるバーナ部の数を、高負荷燃焼用の段、低負荷燃焼用の段、及び、その中間の負荷燃焼用の段の大中小の３段に変更させる形態で燃焼させるように構成され、そして、夫々の段において、燃焼させるバーナ部が適正燃焼状態になるように燃焼用空気の供給量が調整される構成となっている。
つまり、燃焼負荷の変化に対する燃焼用空気の供給量としてのファン回転速度の関係が、例えば、図７に示すように、大中小の各段毎に設定されている。この図から分かるように、燃焼を停止させるバーナ部に対しても燃焼用空気が供給されるから、低負荷燃焼用の段のように燃焼するバーナ数が少ない場合でも、ファンの回転速度は高負荷燃焼用のように大きくなるものであった。尚、図７では低負荷燃焼用（小）の段における従来の特性は破線で示している。
【０００４】
【発明が解決しようとする課題】
従って、上記従来構成においては、一部のバーナ部のみを燃焼させる場合であっても燃焼用空気は全てのバーナ部に供給されるものであるから、燃焼を停止させたバーナ部に対しても燃焼用空気が供給されることになる。そうすると、その燃焼を停止させたバーナ部に供給される燃焼用空気が燃焼室へ排出されるため、ガスバーナ全体としては必要以上に過剰の燃焼用空気が供給されることになり、そのため、その過剰に供給される燃焼用空気の流動によって燃焼排ガスの温度が低くなって熱回収率が低下するという欠点がある。
【０００５】
本発明は、この点に着目したものであり、その目的は、複数のバーナ部のうちで燃焼させるバーナ部の数を３段以上の複数段に変更させることにより、大きなターンダウン比が得られるものでありながら、構成を大幅に複雑化させずに、熱回収率が大きく低下する不利を回避させることが可能となる燃焼装置を提供する点にある。
【０００６】
【課題を解決するための手段】
請求項１によれば、複数のバーナ部を並べて備えたガスバーナと、前記複数のバーナ部に燃焼用空気を供給する燃焼用空気供給手段と、前記複数のバーナ部への燃料ガスの供給を調整する燃料供給調整手段と、前記燃焼用空気供給手段及び前記燃料供給調整手段の作動を制御する燃焼制御手段とが備えられ、その燃焼制御手段が、燃焼負荷の大きさに応じて、前記複数のバーナ部のうちで燃焼させるバーナ部の数を３段以上の複数段に変更させる形態で燃焼させるように、燃焼させるバーナ部にのみ燃料ガスを供給させるように前記燃料供給調整手段を作動させ、且つ、燃焼させるバーナ部に適正量の燃焼用空気が供給されるように前記燃焼用空気供給手段を作動させるように構成されている燃焼装置において、前記燃焼させるバーナ部の数を変更させる複数段のうちで、一部のバーナ部を燃焼させる段のうちの燃焼させるバーナ数が少なくなる側の低燃焼負荷用の段にて燃焼させる状態において、燃焼を停止させることになるバーナ部に対する燃焼用空気の供給を抑制するための供給抑制手段が、抑制作用状態と抑制解除状態とに切り換え自在に設けられ、前記燃焼制御手段が、前記複数のバーナ部のうちの燃焼させるバーナ部の数を前記低燃焼負荷用の段に変更させるに伴って、前記抑制作用状態に切り換え、且つ、前記燃焼させるバーナ部の数を前記低燃焼負荷用の段よりも燃焼させるバーナ数が多い高燃焼負荷用の段に変更させるに伴って、前記抑制解除状態に切り換えるように、前記供給抑制手段を作動させるように構成され、前記供給抑制手段の前記抑制作用状態及び前記抑制解除状態の夫々において、燃焼させるバーナ部に適正量の燃焼用空気が供給されるように前記燃焼用空気供給手段を作動させるように構成され、燃焼負荷の大きさに応じて、前記燃焼させるバーナ部の数を前記高燃焼負荷用の段に変更する変更指令が指令されると、前記燃料供給調整手段による燃料ガスを供給するバーナ部の数の変更作動を直ちに実行させ、且つ、前記供給抑制手段による前記抑制作用状態から前記抑制解除状態への切り換えを直ちに実行させるように構成され、燃焼負荷の大きさに応じて、前記燃焼させるバーナ部の数を前記低燃焼負荷用の段に変更する変更指令が指令されると、前記燃料供給調整手段による燃料ガスを供給するバーナ部の数の変更作動を直ちに実行させ、且つ、前記供給抑制手段による前記抑制解除状態から前記抑制作用状態への切り換えを設定時間遅らせて実行させるように構成されていることを特徴とする。
【０００７】
すなわち、燃焼負荷の大きさに応じて、複数のバーナ部のうちで燃焼させるバーナ部の数を３段以上の複数段に変更させる場合において、前記３段以上の複数段のうちで、一部のバーナ部を燃焼させる段のうちの燃焼させるバーナ数が少なくなる側の低燃焼負荷用の段に変更させると、前記供給抑制手段が抑制作用状態に切り換えられる。
この供給抑制手段は、前記低燃焼負荷用の段にて燃焼させる状態において、燃焼を停止させることになるバーナ部に対する燃焼用空気の供給を抑制するので、前記低燃焼負荷用の段にて燃焼させる状態では、燃焼を停止させるバーナ部には燃焼用空気が供給されない状態となる。そして、燃焼させるバーナ部に適正量の燃焼用空気が供給されるように前記燃焼用空気供給手段が作動するので、燃焼するバーナ部に対しては適正量の燃焼用空気が供給され、この低燃焼負荷用の段にて燃焼させる状態においても適正な燃焼状態を維持できる。
その結果、このような低燃焼負荷用の段による燃焼状態において、燃焼しないバーナ部に対して過剰に供給される燃焼用空気の流動によって燃焼排ガスの温度が低くなって熱回収率が低下するといった不利を解消することができるのである。
【０００８】
そして、前記燃焼させるバーナ部の数を前記低燃焼負荷用の段よりも燃焼させるバーナ数が多い高燃焼負荷用の段に変更させると、前記供給抑制手段が抑制解除状態に切り換えられる。そして、この高燃焼負荷用の段においても、燃焼させるバーナ部に適正量の燃焼用空気が供給されるように前記燃焼用空気供給手段が作動するので、燃焼させるバーナ部に対して適正量の燃焼用空気が供給され、適正な燃焼状態を維持できるものとなる。
【０００９】
ところで、この高燃焼負荷用の段は、全てのバーナ部を燃焼させる最大バーナ数の段だけでなく、一部のバーナ部を燃焼させる段のうちの燃焼させるバーナ数が多くなる中間側の段も含むものであり、この中間側の段においても、燃焼を停止させるバーナ部に燃焼用空気が供給されない状態となるように切り換える構成が考えられる。
すなわち、ガスバーナ全体に対する燃焼用空気の過剰供給を抑制して熱回収率の低下を回避するための別の構成として、燃焼負荷の大きさに応じて、燃焼させるバーナ部の数を３段以上の複数段に変更させる場合に、上記したような中間側の段を含む各段毎の切換えに伴って燃焼状態が変化することになる複数のバーナ部の夫々に対して、各別に、上記したような供給抑制手段を備えさせる構成である。
しかし、このように構成した場合には、各別に抑制作用状態と抑制解除状態とに切り換え自在な構成の供給抑制手段を、複数備える必要があり、燃焼用空気の供給状態を切り換えるための構成が大幅に複雑化してコスト高を招くおそれがある。
【００１０】
そして、本出願人は、実験により次のような事実を見出した。
つまり、上述したようなガスバーナ全体として過剰な燃焼用空気が供給されることにより生じる上述したような熱回収率の低下は、前記低燃焼負荷用の段、つまり、一部のバーナ部を燃焼させる段のうちの燃焼させるバーナ数が少なくなる側の段に変更させた場合に大きくなるものであり、一部のバーナ部を燃焼させる段のうちの燃焼させるバーナ数が多くなる中間側の段においては、それほど大きな低下とはなっていないことを、実験により見出した。
例えば、図８に、燃焼装置を給湯装置に適用した場合において、前記燃焼させるバーナ部の数を大中小の３段に切換えた場合の給湯装置の熱効率の実験結果を示している。この熱効率は、燃焼装置の熱回収率に対応するものである。
この図では、前記低燃焼負荷用の段に対応する燃焼状態における従来構成での計測結果は破線（Ｌ１１）にて示されており、高燃焼負荷用の段のうちの上記したような中間側の段は、実線（Ｌ２）で示している。尚、最大バーナ数の段は実線（Ｌ３）にて示している。この図から明らかなように、前記低燃焼負荷用の段において熱効率の低下が顕著に現れており、高燃焼負荷用の段のうちの上記したような中間側の段においては、熱効率の大幅な低下は見られないのである。
因みに、図中の実線（Ｌ１）は、前記低燃焼負荷用の段において、供給抑制手段が抑制作用状態に切り換えられたときの熱効率の計測結果を示している。
【００１１】
従って、高燃焼負荷用の段のうちの上記したような中間側の段においても、全てのバーナ部に対して燃焼用空気が供給されることになるが、この中間側の段では、上述したような燃焼用空気の過剰供給に起因した熱回収率の低下は少なく、ガスバーナ全体としては、ほぼ適正な燃焼状態を維持できるのである。
【００１２】
このように、本発明の構成によれば、前記供給抑制手段は、熱回収率が大きく低下するおそれがある前記低燃焼負荷用の段においてのみ抑制作用状態に切り換わり、高燃焼負荷用の段においては抑制解除状態に切り換わるものであるから、例えば、上述したような複数の供給抑制手段を設けるような複雑な構成は不要であり、前記低燃焼負荷用の段に対応するバーナ部に対してのみ抑制作用状態と抑制解除状態とに切り換わる単一構成のもので済ませることが可能となり、構成の大幅な複雑化を招くことなく極力簡素な構成で燃焼用空気の供給状態を変更させることが可能となる。
【００１３】
その結果、複数のバーナ部のうちで燃焼させるバーナ部の数を３段以上の複数段に変更させることにより、適正な燃焼状態を維持しながら大きなターンダウン比が得られるものでありながら、構成を大幅に複雑化させずに、熱回収率が大きく低下する不利を回避させることが可能となる燃焼装置を提供できるに至った。
【００１５】
又、請求項１によれば、燃焼させるバーナ部の数を前記高燃焼負荷用の段に変更する場合には、燃焼負荷が増加して燃焼量を増大させる場合であるから、極力、迅速に必要な燃焼量を出力させる状態にさせるために、前記燃料供給調整手段による燃料ガスを供給するバーナ部の数の変更作動、及び、供給抑制手段による抑制作用状態から抑制解除状態への切り換えの夫々を直ちに実行するのである。
【００１６】
そして、燃焼させるバーナ部の数を前記低燃焼負荷用の段に変更する場合には、前記燃料供給調整手段による燃料ガスを供給するバーナ部の数の変更作動は直ちに実行するのであるが、供給抑制手段による抑制解除状態から抑制作用状態への切り換えは、設定時間遅らせて実行させるのである。
つまり、このように燃焼させるバーナ部の数を、燃焼させるバーナ数が少なくなる側の低燃焼負荷用の段に変更させるときは、供給抑制手段による抑制解除状態から抑制作用状態への切り換えを直ちに行うようにすると、その変更作動の直前まで燃焼していたバーナ部では、そのときまで供給されていた燃料ガスが完全燃焼するまでには少し時間がかかるので、燃焼用空気の供給が直ちに停止されると不完全燃焼を起こしてしまうおそれがあるから、設定時間遅らせた後に、供給抑制手段を抑制解除状態から抑制作用状態へ切り換えることで、このような不完全燃焼を未然に回避させることができるようにしているのである。このようにして、請求項１を実施するのに好適な手段が得られる。
【００１７】
請求項２によれば、請求項１において、前記複数のバーナ部の夫々は、火炎を形成する炎口に供給すべき一次空気を前記燃焼用空気として取り入れる一次空気取入れ口と、前記炎口に供給すべき二次空気を前記燃焼用空気として取り入れる二次空気取入れ口とを備えて構成され、前記供給抑制手段が、前記低燃焼負荷用の段にて燃焼させる状態において燃焼を停止させるバーナ部に対応する前記一次空気取入れ口並びに前記二次空気取入れ口を夫々遮蔽して、燃焼用空気の取入れを抑制する作用位置と、前記一次空気取入れ口並びに前記二次空気取入れ口を夫々開放して、燃焼用空気の取入れを許容する解除位置とにわたり切換え自在な遮蔽部材と、この遮蔽部材を前記作用位置と前記解除位置とにわたり移動操作させる移動操作手段とを備えて構成され、その移動操作手段により、前記遮蔽部材を前記作用位置に移動操作させることで前記抑制作用状態に切り換わり、前記遮蔽部材を前記解除状態に移動操作させることで前記抑制解除状態に切り換わるように構成されていることを特徴とする。
【００１８】
前記複数のバーナ部は、炎口に供給すべき一次空気を一次空気取入れ口から取り入れるとともに、炎口に供給すべき二次空気を二次空気取入れ口から取り入れて、炎口にて燃料ガスと一次空気及び二次空気からなる燃焼用空気とが混合されて燃焼して火炎が形成されるのであるが、前記供給抑制手段は、前記抑制作用状態においては、移動操作手段により遮蔽部材を作用位置に移動操作させて、一次空気取入れ口並びに二次空気取入れ口を夫々遮蔽させることで、燃焼用空気の供給を抑制するのである。従って、燃焼を停止させるバーナ部においては、一次空気及び二次空気の両方について供給を抑制させることになるから、一次空気又は二次空気のうちのいずれか一方だけを供給抑制するものに比べて、燃焼用空気の供給を確実に抑制することができて、ガスバーナ全体としての燃焼用空気の過剰供給量を少なくすることができるのであり、請求項１又は２を実施するのに好適な手段が得られる。
【００１９】
請求項３によれば、請求項１において、前記ガスバーナが、前記複数のバーナ部として、空気混合率の小なる濃混合気を燃焼させる濃燃焼用バーナ部と、空気混合率の大なる淡混合気を燃焼させる淡燃焼用バーナ部とを、それらが交互に並ぶ状態で備えた濃淡燃焼式のガスバーナにて構成され、前記濃燃焼用バーナ部は、前記濃混合気を燃焼させて火炎を形成する濃用炎口に供給すべき前記燃焼用空気を取入れる濃用空気取入れ口を備えて構成され、前記淡燃焼用バーナ部は、前記淡混合気を燃焼させて火炎を形成する淡用炎口に供給すべき前記燃焼用空気を取り入れる淡用空気取入れ口を備えて構成され、前記供給抑制手段が、前記低燃焼負荷用の段にて燃焼させる状態において燃焼を停止させる前記濃燃焼用バーナ部の前記濃用空気取入れ口、及び、前記低燃焼負荷用の段にて燃焼させる状態において燃焼を停止させる前記淡燃焼用バーナ部の前記淡用空気取入れ口を、夫々遮蔽して燃焼用空気の取入れを抑制する作用位置と、前記濃用空気取入れ口、及び、前記淡用空気取入れ口を夫々開放して、燃焼用空気の取入れを許容する解除位置とにわたり切換え自在な遮蔽部材と、この遮蔽部材を前記作用位置と前記解除位置とにわたり移動操作させる移動操作手段とを備えて構成され、その移動操作手段により、前記遮蔽部材を前記作用位置に移動操作させることで前記抑制作用状態に切り換わり、前記遮蔽部材を前記解除状態に移動操作させることで前記抑制解除状態に切り換わるように構成されていることを特徴とする。
【００２０】
上記したような濃淡燃焼式のガスバーナは、濃用炎口において空気混合率が小さくて安定した燃焼の可能な濃混合気を燃焼させ、この濃混合気の燃焼炎による保炎作用によって、淡用炎口における空気混合率の大きな淡混合気を安定的に継続燃焼させ、燃焼装置全体としてＮＯｘの発生を極力抑えながら安定した燃焼を行わせるようにしたものである。このような濃淡燃焼式のガスバーナにおいては、濃用炎口に供給すべき燃焼用空気を濃用空気取入れ口から取り入れて、燃料ガスと燃焼用空気とが混合された混合気を濃用炎口にて燃焼させて火炎が形成され、又、淡用炎口に供給すべき燃焼用空気を淡用空気取入れ口から取り入れて、燃料ガスと燃焼用空気とが混合された混合気を淡用炎口にて燃焼させて火炎が形成されるのであるが、前記供給抑制手段は、前記抑制作用状態においては、移動操作手段により遮蔽部材を作用位置に移動操作させて、燃焼を停止させる濃燃焼用バーナにおける濃用空気取入れ口、及び、燃焼を停止させる淡燃焼用バーナにおける淡用空気取入れ口を夫々遮蔽させることで、燃焼用空気の供給を抑制するのである。
従って、燃焼を停止させるバーナ部においては、濃燃焼用バーナ部に対する燃焼用空気だけでなく淡燃焼用バーナ部に対する燃焼用空気も共に供給が抑制されるから、確実に、ガスバーナ全体としての燃焼用空気の過剰供給量を少なくすることができ、請求項１又は２を実施するのに好適な手段が得られる。
【００２１】
請求項４によれば、請求項３において、前記供給抑制手段が、前記燃焼させるバーナ部の数が前記低燃焼負荷用の段に変更されて前記抑制作用状態に切り換えられているときに、燃焼を停止させるバーナ部のうち前記燃焼させるバーナ部に隣接する前記淡燃焼用バーナ部に対して、燃焼用空気の供給を許容するように構成されていることを特徴とする。
【００２２】
上記したような濃淡燃焼式のガスバーナにおいては、上述したように、濃燃焼用バーナ部の燃焼炎による保炎作用によって、淡燃焼用バーナ部における空気混合率の大きな淡混合気を安定的に継続燃焼させ、且つ、淡燃焼用バーナ部における多量の燃焼用空気が濃燃焼用バーナ部へも供給されて、濃燃焼用バーナも安定燃焼を行うようにして、燃焼装置全体としてＮＯｘの発生を極力抑えながら安定した燃焼を行わせるようにしたものであるから、濃燃焼用バーナ部同士の間に淡燃焼用バーナ部を位置させる状態で燃焼させることになるから、燃焼させるバーナ部の数を前記低燃焼負荷用の段に変更する場合において、燃焼させるバーナ部の並び方向の端部に位置するのは濃燃焼用バーナ部となる。
そして、燃焼を停止させるバーナ部のうち、この端部に位置する濃燃焼用バーナ部に隣接するのは淡燃焼用バーナであるが、この淡燃焼用バーナに燃焼用空気が供給されないものとすると、端部に位置する濃燃焼用バーナ部に対しては、並び方向の反対側に位置する淡燃焼用バーナからのみ燃焼用空気が供給されるだけであり、空気不足が発生して不完全燃焼を起こすおそれがある。
【００２３】
そこで、前記供給抑制手段が、燃焼させるバーナ部の数が低燃焼負荷用の段に変更されて抑制作用状態に切り換えられているときに、燃焼を停止させるバーナ部のうち燃焼させるバーナ部に隣接する前記淡燃焼用バーナ部に対して、燃焼用空気の供給を許容するように構成されていることから、上述したような端部に位置する濃燃焼用バーナ部に対しても燃焼用空気の供給が充分行われて、適正な燃焼状態を維持できるものとなり、請求項４を実施するのに好適な手段が得られる。
【００２４】
請求項５によれば、請求項１〜４のいずれかにおいて、前記燃焼制御手段が、前記燃焼させるバーナ部の数を前記低燃焼負荷用の段に変更させるときに、前記複数のバーナ部のうちの並び方向の中央部に位置するバーナ部を燃焼させるように構成されていることを特徴とする。
【００２５】
ガスバーナにより、例えば、給湯用の熱交換器などの加熱対象物を加熱する際に、ガスバーナと加熱対象物とは通常、複数のバーナ部の全てを燃焼させたときに、加熱対象物が効率よく加熱されるように、バーナ部の並び方向の中央部を加熱対象物の中央部に対応させるように配置することが多いと考えられるが、上記したように、低燃焼負荷用の段において複数のバーナ部のうちの並び方向の中央部に位置するバーナ部を燃焼させる構成であるから、このような低燃焼負荷用の段にて燃焼している場合であっても、並び方向の中央部に位置するバーナ部を燃焼させることによって、極力、燃焼効率のよい状態で加熱対象物を加熱させることが可能となり、請求項１〜４のいずれかを実施するのに好適な手段が得られる
【００２６】
【発明の実施の形態】
以下、本発明に係る燃焼装置について図面に基づいて説明する。
〔第１実施形態〕
以下、本発明に係る燃焼装置の第１実施形態について説明する。この燃焼装置は、複数のバーナ部を並べて備えたガスバーナＧが設けられている。このガスバーナＧは、前記複数のバーナ部として、空気混合率の小なる濃混合気を燃焼させる濃燃焼用バーナ部３と、空気混合率の大なる淡混合気を燃焼させる淡燃焼用バーナ部１０とを、それらが交互に並ぶ状態で備えた濃淡燃焼式のガスバーナにて構成されている。
すなわち、図１〜図３に示すように、この濃淡燃焼式のガスバーナＧは、略矩形筒状のバーナケース１の内側に同じく略矩形筒状の燃焼室ケース２が内装され、この燃焼室ケース２の内部に偏平状の濃燃焼用バーナ部３が所定間隔を置いて多数並設されて収納されている。このバーナケース１の下方には、燃焼用空気と冷却用空気とを供給するための燃焼用空気供給手段としてのファン４が備えられ、このファン４の吐出口４ａがバーナケース１の底部に開口されて、このバーナケース１の底部と燃焼室ケース２の底部を形成する多孔板からなる整風板５との間に空気室６が形成されている。又、バーナケース１と燃焼室ケース２との間の隙間部分には、バーナケース１を冷却するための冷却用空気流通のための筒状の空気流通路５０が形成されている。
【００２７】
前記濃燃焼用バーナ部３は、一次空気混合率の小さい濃混合気を上方に吐出させる偏平な濃用炎口７と、この濃用炎口７に連通する濃用混合室８と、この濃用混合室８に濃混合気生成用の燃料ガスと燃焼用空気とを導入する濃用空気取入れ口としての濃用導入口９などを備えて構成されている。この濃燃焼用バーナ部３は、１枚の金属製の板状体から形成され、板状体が濃用炎口７の部分で折曲されて張り合わされ、前記濃用混合室８や濃用導入口９を形成するとともに、濃用混合室８の下方には、後述する淡燃焼用バーナ部１０の淡用ガス導通路１１と、この淡用ガス導通路１１に燃料ガスと燃焼用空気とを導入する断面形状楕円形の淡用空気取入れ口としての淡用導入口１２が、同じ板状体で一体的に形成されて周囲がスポット溶接で接合されている。
【００２８】
このようにして形成した偏平な濃燃焼用バーナ部３を所定間隔を置いて燃焼室ケース２内に並設収納することで、隣合う濃燃焼用バーナ部３同士の間には偏平な間隔空間ができ、この間隔空間が淡燃焼用バーナ部１０の形成に利用されている。具体的には、濃燃焼用バーナ部３の濃用炎口７同士の間は、一次空気混合率の大きい淡混合気を上方に吐出させる淡用炎口１３に構成され、この淡用炎口１３に連通する下方の間隔空間が淡用混合室１４として構成されていて、この淡用混合室１４内に前記淡用ガス導通路１１に形成の複数個の噴出口１５から混合気を噴出するように構成されるとともに、濃燃焼用バーナ部３に固着の複数枚の整流板１６が各淡用炎口１３に位置するように構成されている。
【００２９】
前記濃燃焼用バーナ部３の濃用導入口９と淡燃焼用バーナ部１０の淡用導入口１２との前部にはガスヘッダ１７が配設され、図４に示すように、ガスヘッダ１７には後述するようなガス供給路が連通接続されるとともに、ガスヘッダ１７には多数の濃用ガスノズル２１、及び、多数の淡用ガスノズル２２が取り付けられている。
【００３０】
前記濃用ガスノズル２１は各濃用導入口９に臨んでいて、この濃用ガスノズル２１からの燃料ガスの吹き込みによって、バーナケース１と燃焼室ケース２との間を流通する冷却用空気の一部をエゼクタ作用により所定の割合で濃用導入口９に吸引し、濃用混合室８の通過過程で混合して濃混合気を生成し、この濃混合気を濃用炎口７から吐出させる。
同様に、前記淡用ガスノズル２２は各淡用導入口１２に臨んでいて、この淡用ガスノズル２２からの燃料ガスの吹き込みで、同じく冷却用空気の一部をエゼクタ作用により所定の割合で淡用導入口１２に吸引し、淡用ガス導通路１１の通過過程で予め混合し、その混合気を淡用ガス導通路１１の噴出口１５から淡用混合室１４に噴出させる。そして、この淡用混合室１４において、噴出口１５からの混合気と整風板５を介して空気室６から供給される燃焼用空気とを混合して淡混合気を生成し、この淡混合気を淡用炎口１３から吐出させる。すなわち、淡用導入口１２及び整風板５が淡用空気取入れ口として機能することになる。
このようにして生成した淡混合気を淡用炎口１３から吐出させて燃焼させ、かつ、これら淡用炎口１３に隣接する濃用炎口７から濃混合気を吐出させて燃焼させることによって濃淡燃焼を実行することになる。
【００３１】
そして、この燃焼装置には、複数のバーナ部３，１０への燃料ガスの供給を調整する燃料供給調整手段としてのガス供給調整部と、燃焼用空気供給手段としてのファン４及びこのガス供給調整部の作動を制御する燃焼制御手段としての制御部Ｈとが備えられ、その制御部Ｈが、燃焼負荷の大きさに応じて、複数のバーナ部のうちで燃焼させるバーナ部の数を３段以上の複数段に変更させる形態で燃焼させるように、燃焼させるバーナ部にのみ燃料ガスを供給させるようにガス供給調整部を作動させ、且つ、燃焼させるバーナ部に適正量の燃焼用空気が供給されるようにファン４を作動させるように構成されている。
【００３２】
詳述すると、前記ガスヘッダ１７は、図５に示すように、仕切り壁２３により３つの領域に区画されている。すなわち、複数のバーナ部３，１０の並び方向の中央側に位置する５つの濃燃焼用バーナ部３に対応する濃用ガスノズル２１、及び、同じく中央側に位置する４つの淡燃焼用バーナ部１０に対応する淡用ガスノズル２２を含む第１の領域Ｒ１と、図５にて第１の領域Ｒ１の左側に位置する１組の濃用ガスノズル２１及び淡用ガスノズル２２、及び、第１の領域Ｒ１の右側に位置する２組の濃用ガスノズル２１及び淡用ガスノズル２２を含む第２の領域Ｒ２と、最左側の２組の濃用ガスノズル２１及び淡用ガスノズル２２、及び、最右側の１組の濃用ガスノズル２１及び淡用ガスノズル２２を含む第３の領域Ｒ３との３つの領域である。
そして、その３つの領域Ｒ１，Ｒ２，Ｒ３には、ガス供給路２６から分岐された３本の第１分岐路供給路１８、第２分岐供給路１９、第３分岐供給路２０が夫々連通接続されており、各分岐供給路１８，１９，２０には、第１切換電磁弁Ｖ１、第２切換電磁弁Ｖ２、第３切換電磁弁Ｖ３が備えられ、更に、それらの分岐供給路１８，１９，２０の上流側の前記ガス供給路２６には、供給する燃料ガスの総量を調整する電磁比例弁２７と安全弁２８とが設けられている。これらの各切換電磁弁Ｖ１，Ｖ２，Ｖ３、電磁比例弁２７、安全弁２８により前記ガス供給調整部が構成され、このガス供給調整部の作動を制御部Ｈが制御するようになっている。
【００３３】
従って、各切換電磁弁Ｖ１，Ｖ２，Ｖ３、電磁比例弁２７、安全弁２８の全てを開弁させることで、全ての濃燃焼バーナ部３及び淡燃焼バーナ部１０に燃料ガスが供給されて全バーナ部が燃焼する状態（大）となり、その状態から第３切換電磁弁Ｖ３を閉弁すると、並び方向の中央側の８個の濃燃焼バーナ部３、及び、並び方向の中央側の７個の淡燃焼バーナ部１０に燃料ガスが供給されて燃焼する状態（中）となる。そして、その状態から第２切換電磁弁Ｖ２を閉弁すると、並び方向の中央側の５個の濃燃焼バーナ部３、及び、並び方向の中央側の４個の淡燃焼バーナ部１０に燃料ガスが供給されて燃焼する状態（小）となる。
つまり、燃焼させるバーナ部の数を大中小の３段に変更させることができるようになっている。
【００３４】
そして、燃焼させるバーナ部の数を変更させる複数段のうちで、燃焼させるバーナ数が少なくなる側の低燃焼負荷用の段、すなわち、前記「小」の状態において、燃焼を停止させることになるバーナ部に対する燃焼用空気の供給を抑制するための供給抑制手段Ｙが、抑制作用状態と抑制解除状態とに切り換え自在に設けられ、制御部Ｈが、複数のバーナ部のうちの燃焼させるバーナ部の数を低燃焼負荷用の段に変更させるに伴って、抑制作用状態に切り換え、且つ、燃焼させるバーナ部の数を前記低燃焼負荷用の段よりも燃焼させるバーナ数が多い高燃焼負荷用の段、すなわち、前記「中」、又は、「大」の状態、に変更させるに伴って、前記抑制解除状態に切り換えるように、前記供給抑制手段Ｙを作動させるように構成されている。
【００３５】
そして、供給抑制手段Ｙの抑制作用状態及び抑制解除状態の夫々において、燃焼させるバーナ部に適正量の燃焼用空気が供給されるようにファン４の回転速度を変更制御するように構成されている。つまり、上記したように燃焼負荷に応じて、燃焼させるバーナ部の数を大中小の３段に変更させるのであるが、各段のいずれかにて燃焼しているときにも、燃焼負荷の変動に対して、供給する燃料ガスの総量を電磁比例弁２７により調整するとともに、その燃焼負荷に応じて燃焼用空気の供給量が適正状態になるようにファン４の回転速度が調整されるようになっている（図７参照）。
【００３６】
前記供給抑制手段Ｙは、前記低燃焼負荷用の段にて燃焼させる状態において燃焼を停止させる濃燃焼用バーナ部３の濃用導入口９、及び、低燃焼負荷用の段にて燃焼させる状態において燃焼を停止させる淡燃焼用バーナ部１０の淡用空気取入れ口、つまり、淡用導入口１２及び整風板５を、夫々遮蔽して燃焼用空気の取入れを抑制する作用位置と、濃用導入口、淡用導入口１２及び整風板５を夫々開放して、燃焼用空気の取入れを許容する解除位置とにわたり切換え自在な遮蔽部材３０と、この遮蔽部材３０を前記作用位置と前記解除位置とにわたり移動操作させる移動操作手段３１とを備えて構成され、その移動操作手段３１により、遮蔽部材３０を作用位置に移動操作させることで抑制作用状態に切り換わり、遮蔽部材３０を解除状態に移動操作させることで抑制解除状態に切り換わるように構成されている。
【００３７】
前記遮蔽部材３０は、図１、図２、図６に示すように、板材を略Ｌ字形に屈曲させた形状となっており、前記「小」の状態において、燃焼を停止させる濃燃焼用バーナ部３の濃用導入口９と、燃焼を停止させる淡燃焼用バーナ部１０の淡用導入口１２とを遮蔽する縦面部分３０ａと、燃焼を停止させる淡燃焼用バーナ部の整風板５を遮蔽する水平面部分３０ｂとを備えて構成され、縦面部分３０ａには前記「小」の状態において、燃焼させるバーナ部への燃焼用空気の供給を許容する挿通孔３０ａ１が形成され、水平面部分３０ｂは、燃焼を停止させるバーナ部に対する箇所のみ遮蔽する構成となっている。
【００３８】
次に、前記移動操作手段３１の構成について説明する。
図２、図６に示すように、遮蔽部材３０は、１個の電動モータ３６にて駆動されるネジ送り機構によって、上方に移動して、縦面部分３０ａにより対応する濃用導入口９と淡用導入口１２とを遮蔽するとともに、水平面部分３０ｂにより対応する整風板を遮蔽する作用位置と、下方に移動して、前記各部を開放させる解除位置とにわたり上下方向にスライド移動自在に設けられている。
説明を加えると、この遮蔽部材３０は、水平面部分３０ｂの四隅をガイド棒３２によって案内しながら、水平方向の位置がずれないようにしながら上下方向に移動自在に支持され、水平面部分３０ｂの左右両側に形成された雌ねじ部３３を、上下方向に沿う軸芯周りで回転自在に且つ上下方向の移動が規制された一対のネジ軸３４、３４に螺合させてあり、電動モータ３６にて駆動される横向き駆動軸３５と、前記各ネジ軸３４、３４とをベベルギア機構３７、３７により連動連結させて、各ネジ軸３４、３４を同一方向に且つ同一回転速度で回転させることによって、遮蔽部材３０を上下方向にスライド移動させることができるように構成されている。尚、遮蔽部材３０が作用位置まで上昇したことを検出するリミットスイッチ３９と、遮蔽部材３０が解除位置まで下降したことを検出するリミットスイッチ４０とが設けられ、切り換え操作を実行するときは、電動モータ３６を駆動させたのち、いずれかのリミットスイッチ３９、４０がオンすると電動モータ３６の駆動を停止させるようになっている。
【００３９】
そして、前記制御部Ｈが、燃焼負荷の大きさに応じて、燃焼させるバーナ部の数を前記高燃焼負荷用の段、すなわち、前記「中」、又は、「大」の状態、に変更する変更指令が指令されると、ガス供給調整部による燃料ガスを供給するバーナ部の数の変更作動を直ちに実行させ、且つ、供給抑制手段Ｙによる抑制作用状態から抑制解除状態への切り換えを直ちに実行させるように構成されている。又、燃焼負荷の大きさに応じて、燃焼させるバーナ部の数を前記低燃焼負荷用の段、すなわち、前記「小」の状態、に変更する変更指令が指令されると、ガス供給調整部による燃料ガスを供給するバーナ部の数の変更作動を直ちに実行させ、且つ、供給抑制手段Ｙによる抑制解除状態から抑制作用状態への切り換えを設定時間遅らせて実行させるように構成されている。
すなわち、ガス供給調整部による切り換え作動は常に迅速に行い、前記電動モータ３６による遮蔽部材３０の作用位置から解除位置への移動操作は、迅速に行うように電動モータ３６の回転速度を高速で駆動させ、解除位置から作用位置への移動操作を行う場合には、遮蔽部材３０の切換え作動に対して、混合室内に供給されている燃料ガスを完全に燃焼するための設定時間だけ遅らせて実行させることで、不完全燃焼が生じるのを回避できるようにしている。
【００４０】
そして、前記遮蔽部材３０は、燃焼させるバーナ部の数が低燃焼負荷用の段に変更されて抑制作用状態に切り換えられているときに、燃焼を停止させるバーナ部のうち、燃焼させるバーナ部に隣接する淡燃焼用バーナ部１０に対して、燃焼用空気の供給を許容するように構成されている。つまり、図３、図４において符号Ａにて示す淡燃焼用バーナ部１０に対しては、燃料ガスの供給は行わないので燃焼は停止されることになるが、燃焼用空気の供給が許容されることになる。このようにすると、端部に位置する濃燃焼用バーナ部３における燃焼用空気の不足に起因した不完全燃焼が回避され、適正な燃焼状態が維持されることになる。
尚、全てのバーナ部を燃焼する場合においても、最端部には濃燃焼用バーナ部３が位置することになるが、この最端部の濃燃焼用バーナ部３に対しては、上記したような空気流通路５０を通して燃焼用空気が供給されることにより、適正な燃焼状態が維持されることになる。
【００４１】
従って、上記したように燃焼させるバーナ数が少なくなる側の低燃焼負荷用の段、すなわち、前記「小」の状態において、供給抑制手段Ｙによって、燃焼を停止させることになるバーナ部に対する燃焼用空気の供給を抑制する構成としたので、ガスバーナ全体としての燃焼用空気の過剰供給量を少なくすることができ、図７に示すように、供給抑制手段Ｙを設けない従来構成の場合（図の破線で示す状態）に比べて、前記「小」の状態においてはファン４による回転速度を小さくさせて適正な燃焼状態を得ることができ、動力費の低減を図ることができる。
しかも、図８における本出願人による実験データから明らかなように、供給抑制手段Ｙを設けない従来構成の場合における熱効率（破線Ｌ１１で示す）に比べて、上記構成によって熱効率を向上させることができた。尚、この熱効率の実験データは、燃焼装置を給湯用熱交換器を加熱する給湯装置に適用した場合における、前記「小」の状態に対応する特性線Ｌ１、前記「中」の状態に対応する特性線Ｌ２、前記「大」の状態に対応する特性線Ｌ３を示しており、熱効率のデータとして計測したものであり、燃焼装置の熱回収率に対応するものである。
【００４２】
〔第２実施形態〕
次に、本発明の第２実施形態について説明する。
本実施形態では、ガスバーナとして、第１実施形態のような濃淡燃焼式のガスバーナに代えて、通常のブンゼンバーナに適用したものである。すなわち、通常のブンゼンバーナは、図９に示すように、複数のバーナ部の夫々は、火炎を形成する炎口３９に供給すべき一次空気を前記燃焼用空気として取り入れる一次空気取入れ口４０と、前記炎口に供給すべき二次空気を前記燃焼用空気として取り入れる二次空気取入れ口４１とを備えて構成されており、上記第１実施形態のガスノズルと同様なガスノズルが一次空気取入れ口４０に臨ませて設けられ、ガスノズルからのガスの噴出によるエゼクタ作用により一次空気を取り入れるようになっている。又、二次空気取入れ口４１から取り入れられる二次空気は、各バーナ部の間の空間を通して炎口３９に供給されることになる。
【００４３】
そして、上記実施形態における遮蔽部材３０と同様に、前記低燃焼負荷用の段にて燃焼させる状態において燃焼を停止させるバーナ部に対応する前記一次空気取入れ口４０並びに前記二次空気取入れ口４１を夫々遮蔽して、燃焼用空気の取入れを抑制する作用位置と、前記一次空気取入れ口４０並びに前記二次空気取入れ口４１を夫々開放して、燃焼用空気の取入れを許容する解除位置とにわたり切換え自在な遮蔽部材４２を備えて、この遮蔽部材４２を上記実施形態における移動操作手段３１と同様な移動操作手段にて、前記作用位置と前記解除位置とにわたり移動操作させるような構成となっている。
尚、前記低燃焼負荷用の段に変更させるに伴って、前記作用位置に切り換える構成については第１実施形態と同様である。
【００４４】
〔第３実施形態〕
次に、本発明の第３実施形態について説明する。
この実施形態では、第１実施形態における遮蔽部材３０における前記縦面部と水平面部とを分割させて、各別に移動操作させる構成であり、その他の構成につては第１実施形態と同じである。
詳述すると、前記分割された水平面部５０は、図１１に示すように、上記第１実施形態と同様な電動モータ３６を備えたネジ送り式の移動操作手段にて上下スライド移動させる構成としている。そして、分割された縦面部５１を次のように構成している。つまり、図１０に示すように、１枚板構成の縦面部５１に、濃用ガスノズル２１と淡用ガスノズル２２が挿通する挿通孔５２を形成してあり、この縦面部５１は、上記実施形態と同様な電動モータ３６を備えたネジ送り式の移動操作手段にて、ガスヘッダ１７側に移動する解除位置と、濃用導入口９や淡用導入口１２側に移動して、濃用導入口９や淡用導入口１２から燃焼用空気が導入されるのを抑制する作用位置とに移動操作させて、抑制作用状態と抑制解除状態とに切り換える構成としている。
このとき、縦面部５１は、濃用導入口９や淡用導入口１２を完全に遮蔽することができないが、燃焼用空気が導入されることを抑制することができ、過剰な空気の供給を抑制することが可能となる。
【００４５】
〔別実施形態〕
以下、上記実施形態以外の他の別実施形態を列記する。
【００４７】
（１）前記供給抑制手段として、燃焼を停止させることになるバーナ部に対する燃焼用空気の取入れ箇所を完全に遮断する構成に限らず、多量に供給されることを抑制し、わずかな供給を許容させるような構成でもよく、その構成は種々に変更可能である。
例えば、上記第３実施形態に示したように、上記したような分割された水平面部５０と縦面部５１とを備えて、それらを夫々、移動操作手段にて移動操作させるような構成に代えて、水平面部５０、及び、縦面部５１のうちのいずれか一方のみを備えて、移動操作手段にて抑制作用状態と抑制解除状態とに切り換える構成としてもよい。
【００４８】
（２）上記第１実施形態では、前記燃焼させるバーナ部の数を前記低燃焼負荷用の段に変更させるときに、前記複数のバーナ部のうちの並び方向の中央部に位置するバーナ部を燃焼させるように構成したが、このような構成に限らず、並び方向の端部側に位置するバーナ部を燃焼させるようにしてもよい。
【００４９】
（３）上記各実施形態では、前記供給抑制手段として、ガスバーナに対する燃焼用空気の取入れ箇所を遮蔽させることで、空気の供給を抑制するようにしたが、このような構成に代えて、例えば、燃焼用空気の出口箇所、すなわち、炎口において空気の流通を抑制するように構成するものでもよい。
【００５０】
（４）上記各実施形態では、前記複数のバーナ部のうちで燃焼させるバーナ部の数を大中小の３段に変更させる構成を例示したが、このように３段に限るものではなく、３段以上であればよく、４段、５段、あるいはそれ以上の段数で変更させる構成でもよい。
そして、燃焼させるバーナ数が少なくなる側の低燃焼負荷用の段としては、複数段のうちのバーナ数が最小となる段に限られるものではなく、例えば、燃焼するバーナ数が最も少ない１段から順次、バーナ数が多くなるように、２段、３段、４段、及び、５段まで変更する場合に、バーナ数が少なくなる側の１段、２段を低燃焼負荷用の段としたり、１段、２段、３段を低燃焼負荷用の段とするなど、種々の組み合わせを低燃焼負荷用の段としてもよい。このように低燃焼負荷用の段を設定する場合、燃焼装置としての熱回収率が設定値以下になるような段を低燃焼負荷用の段として設定するとよい。
【００５１】
（５）上記した燃焼装置は、給湯用の熱交換器を加熱するものに限らず、暖房装置として利用される燃焼装置等、各種の使用形態で実施することができるものであり、その用途は限定されない。
【図面の簡単な説明】
【図１】第１実施形態の燃焼装置の縦断側面図
【図２】第１実施形態の燃焼装置の一部切り欠き斜視図
【図３】第１実施形態の燃焼装置の縦断正面図
【図４】第１実施形態の低燃焼負荷用の段でのガスバーナの燃焼状態を示す図
【図５】第１実施形態の燃焼装置の燃料供給状態を示す概略構成図
【図６】第１実施形態の供給抑制手段の構成を示す図
【図７】第１実施形態のファン回転速度と燃焼負荷との関係を示すグラフ
【図８】第１実施形態の熱効率と燃焼負荷との関係を示すグラフ
【図９】第２実施形態の燃焼装置の縦断正面図
【図１０】第３実施形態の供給抑制手段の構成を示す図
【図１１】第３実施形態の供給抑制手段の構成を示す図
【符号の説明】
３、１０      バーナ部
４            燃焼用空気供給手段
３０、４２    遮蔽部材
３１          移動操作手段
３９          炎口
４０          一次空気取入れ口
４１          二次空気取入れ口
Ｇ            ガスバーナ
Ｈ            燃焼制御手段
Ｙ            供給抑制手段
【図１】
0004250324.tif 000002
【図２】
0004250324.tif 000003
【図３】
0004250324.tif 000004
【図４】
0004250324.tif 000005
【図５】
0004250324.tif 000006
【図６】
0004250324.tif 000007
【図７】
0004250324.tif 000008
【図８】
0004250324.tif 000009
【図９】
0004250324.tif 000010
【図１０】
0004250324.tif 000011
【図１１】
0004250324.tif 000012